(57)【要約】【課題】外出時に、予め定めた複数の機器に対して電源の消し忘れを防止することができる。【解決手段】電源消し忘れ防止システム１００は、送信装置１と複数の受信装置２ａ…２ｎを備え、送信装置１は、鍵を掛止可能な操作部１１と、鍵が操作部１１に掛止されているか否かを検知する検知部１２と、鍵が操作部１１に掛止されている場合には、電源ＯＮ制御信号を複数の受信装置２に送信し、鍵が操作部１１に掛止されていない場合には、電源ＯＦＦ制御信号を複数の受信装置２に送信する送信部１３と、を備え、受信装置２ａ…２ｎは、送信装置１から送信された電源制御信号を受信する受信部２１と、電源制御信号が電源ＯＮ制御信号の場合には、接続された電気機器に電源供給を行い、電源制御信号が電源ＯＦＦ制御信号の場合には、接続された電気機器への電源供給を遮断する電源制御部２２と、を備える。【選択図】図１
0003154850.tif 000002
【実用新案登録請求の範囲】
【請求項１】
電源制御信号を送信する送信装置と、受信した前記電源制御信号に基づいて、接続された電気機器への電源供給を制御する、複数の受信装置と、を備えた電源消し忘れ防止システムであって、
前記電源制御信号は、
前記接続された電気機器に電源供給を行う第１の電源制御信号と、前記接続された電気機器への電源供給を遮断する第２の電源制御信号と、を含み、
前記送信装置は、
鍵を掛止可能な第１の操作部と、
前記鍵が第１の操作部に掛止されているか否かを検知する第１の検知部と、
前記第１の検知部により、前記鍵が前記第１の操作部に掛止されていることを検知した場合には、前記第１の電源制御信号を前記複数の受信装置に送信し、前記鍵が前記第１の操作部に掛止されていないことを検知した場合には、前記第２の電源制御信号を前記複数の受信装置に送信する送信部と、
を備え、
前記複数の受信装置は、それぞれ、
前記送信装置から送信された前記電源制御信号を受信する受信部と、
前記受信部で受信した前記電源制御信号が前記第１の電源制御信号の場合には、前記接続された電気機器に電源供給を行い、前記受信部で受信した前記電源制御信号が前記第２の電源制御信号の場合には、前記接続された電気機器への電源供給を遮断する電源制御部と、
を備えることを特徴とする電源消し忘れ防止システム。
【請求項２】
前記送信装置は、
前記接続された電気機器に電源供給を行う第１状態と、前記接続された電気機器への電源供給を遮断する第２状態と、を切り替え可能な第２の操作部と、
前記第２の操作部の状態を検知する第２の検知部と、
をさらに備え、
前記送信部は、
前記第２の検知部により、前記第２の操作部が前記第１状態であることを検知した場合には、前記第１の電源制御信号を前記複数の受信装置に送信し、前記第２の操作部が前記第２状態であることを検出した場合には、前記第２の電源制御信号を前記複数の受信装置に送信することを特徴とする請求項１記載の電源消し忘れ防止システム。
【請求項３】
前記複数の受信装置は、
複数のグループに分類され、
前記送信装置は、
前記複数のグループの少なくとも１以上のグループを選択可能な第３の操作部と、
前記第３の操作部により選択されたグループを検知する第３の検知部と、
をさらに備え、
前記送信部は、
前記複数の受信装置のうち、前記第３の検知部により検知されたグループの前記受信装置それぞれに対して、前記電源制御信号を送信することを特徴とする請求項１または２記載の電源消し忘れ防止システム。
【請求項４】
前記送信装置は、
自装置の揺れを検知する第４の検知部をさらに備え、
前記送信部は、
前記第４の検知部により、前記自装置の揺れが検知された場合には、前記第２の電源制御信号を前記複数の受信装置に送信することを特徴とする請求項１または２記載の電源消し忘れ防止システム。
【考案の詳細な説明】
【技術分野】
【０００１】
本考案は、外出時に家庭内の電気機器の消し忘れを防止する電源消し忘れ防止システムに関する。
【背景技術】
【０００２】
従来から、電気機器の電源消し忘れを防止する装置が知られている。例えば、特開平８−２８８０７４には、部屋に人がいるか否かを検出し、無人状態と判断したときには、自動的に商用電源の供給を遮断する消し忘れ防止コンセント装置が開示されている。また、特開２００３−２８５１２には、室温センサー及びタイマーを用いて、居室内への人の出入りを判断し、機器の運転を停止する燃焼機器の消し忘れ防止制御装置が開示されている。
【先行技術文献】
【特許文献】
【０００３】
【特許文献１】特開平８−２８８０７４号公報
【特許文献２】特開２００３−２８５１２号公報
【考案の概要】
【考案が解決しようとする課題】
【０００４】
しかしながら、上述した特許文献１及び特許文献２に記載された装置は、個々の電気機器の電源消し忘れを防止する装置であり、家やオフィスにある複数種類の電気機器に対して電源の消し忘れを防止する装置ではない。
【０００５】
例えば、外出時には、今まで使っていたエアコンやテレビなどを個々に消すのではなく、複数の所望の電気機器に対して、一括して消し忘れを防止する仕組みがあれば大変便利である。
【０００６】
本考案は上記の事情を鑑みてなされたものであり、外出時に、予め定めた複数の機器に対して電源の消し忘れを防止することができる電源消し忘れ防止システムを提供することを目的とする。
【課題を解決するための手段】
【０００７】
上記の課題を達成するため、本考案は、その一態様として、電源制御信号を送信する送信装置と、受信した前記電源制御信号に基づいて、接続された電気機器への電源供給を制御する、複数の受信装置と、を備えた電源消し忘れ防止システムであって、前記電源制御信号は、前記接続された電気機器に電源供給を行う第１の電源制御信号と、前記接続された電気機器への電源供給を遮断する第２の電源制御信号と、を含み、前記送信装置は、鍵を掛止可能な第１の操作部と、前記鍵が第１の操作部に掛止されているか否かを検知する第１の検知部と、前記第１の検知部により、前記鍵が前記第１の操作部に掛止されていることを検知した場合には、前記第１の電源制御信号を前記複数の受信装置に送信し、前記鍵が前記第１の操作部に掛止されていないことを検知した場合には、前記第２の電源制御信号を前記複数の受信装置に送信する送信部と、を備え、前記複数の受信装置は、それぞれ、前記送信装置から送信された前記電源制御信号を受信する受信部と、前記受信部で受信した前記電源制御信号が前記第１の電源制御信号の場合には、前記接続された電気機器に電源供給を行い、前記受信部で受信した前記電源制御信号が前記第２の電源制御信号の場合には、前記接続された電気機器への電源供給を遮断する電源制御部と、を備えるように構成される。
【０００８】
本考案の一態様においては、鍵が第１の操作部に掛止されているか否かに基づいて、受信装置に接続された電気機器の電源供給を制御できるので、鍵を第１の操作部から取り外すという外出時に必須の簡単な操作を行うことにより、外出時に、予め定めた複数の電気機器に対して電源の消し忘れを防止することができる。また、鍵を第１の操作部に引っ掛けるという帰宅時（帰社時）に必須の簡単な操作を行うことにより、帰宅時（帰社時）に、予め定めた複数の電気機器を使用可能とすることができる。
【０００９】
また、前記送信装置は、前記接続された電気機器に電源供給を行う第１状態と、前記接続された電気機器への電源供給を遮断する第２状態と、を切り替え可能な第２の操作部と、前記第２の操作部の状態を検知する第２の検知部と、をさらに備え、前記送信部は、前記第２の検知部により、前記第２の操作部が前記第１状態であることを検知した場合には、前記第１の電源制御信号を前記複数の受信装置に送信し、前記第２の操作部が前記第２状態であることを検出した場合には、前記第２の電源制御信号を前記複数の受信装置に送信することが好ましい。
【００１０】
この場合には、送信装置は、電源供給を行うか否かの操作が可能な第２の操作部を有するので、第２の操作部の操作に基づいて、一括して、予め定めた複数の電気機器に対して電源の消し忘れを防止することができる。また、一括して、予め定めた複数の電気機器を使用可能とすることができる。
【００１１】
また、前記複数の受信装置は、複数のグループに分類され、前記送信装置は、前記複数のグループの少なくとも１以上のグループを選択可能な第３の操作部と、前記第３の操作部により選択されたグループを検知する第３の検知部と、をさらに備え、前記送信部は、前記複数の受信装置のうち、前記第３の検知部により検知されたグループの前記受信装置それぞれに対して、前記電源制御信号を送信することが好ましい。
【００１２】
この場合には、電源制御したい電気機器を複数のグループに分類して、グループごとにきめ細かく電源制御することができる。
【００１３】
また、前記送信装置は、自装置の揺れを検知する第４の検知部をさらに備え、前記送信部は、前記第４の検知部により、前記自装置の揺れが検知された場合には、前記第２の電源制御信号を前記複数の受信装置に送信することが好ましい。
【００１４】
この場合には、例えば、地震などの揺れを検知した場合には、受信装置に接続された電気機器の電源を落とすことができるので、地震に対しても安全対策は施されている。
【考案の効果】
【００１５】
本考案によれば、外出時に、予め定めた複数の機器に対して電源の消し忘れを防止することができる電源消し忘れ防止システムを提供することができる。
【図面の簡単な説明】
【００１６】
【図１】本考案の実施の形態に係る電源消し忘れ防止システムの概略構成図である。
【図２】本考案の実施の形態に係る電源消し忘れ防止システムの送信装置の外観斜視図である。
【図３】本考案の実施の形態に係る電源消し忘れ防止システムの受信装置の外観斜視図である。
【図４】本考案の実施の形態に係る電源消し忘れ防止システムの送信装置の動作を示すフローチャートである。
【図５】図４のステップＳ２０の送信処理１の流れを示すフローチャートである。
【図６】図４のステップＳ４０の送信処理２の流れを示すフローチャートである。
【図７】図４のステップＳ６０の送信処理３の流れを示すフローチャートである。
【図８】本考案の実施の形態に係る電源消し忘れ防止システムの受信装置の動作を示すフローチャートである。
【図９】本考案の実施の形態に係る電源消し忘れ防止システムの送信装置の変形例の外観斜視図である。
【考案を実施するための形態】
【００１７】
以下、本考案の実施の形態を図面を用いて説明する。
【００１８】
図１は、本考案の実施の形態に係る電源消し忘れ防止システム１００の概略構成図である。電源消し忘れ防止システム１００は、送信装置１と、複数の受信装置２ａ、２ｂ、…、２ｎと、備えたリモコンコンセントシステムであり、送信装置１の制御によって複数の受信装置２ａ、２ｂ、…、２ｎそれぞれに接続された電気機器３ａ、３ｂ、…、３ｎの電源消し忘れを防止するようになっている。本実施の形態の電源消し忘れ防止システム１００においては、複数の受信装置２ａ、２ｂ、…、２ｎに接続された電気機器３ａ、３ｂ、…、３ｎに対しては電源供給を一括して制御できるので、家やオフィスにある複数の電気機器のうち、所望の電気機器３ａ、３ｂ、…、３ｎ（電源消し忘れ防止の対象とする電気機器３ａ、３ｂ、…、３ｎ）を受信装置２ａ、２ｂ、…、２ｎに接続することにより、所望の電気機器３ａ、３ｂ、…、３ｎへの電源供給を一括して制御することが可能である。この結果、例えば、外出時には、所望の複数の電気機器３ａ、３ｂ、…、３ｎの電源を消し忘れることを確実に防止することができる。
【００１９】
送信装置１は、電源制御信号を複数の受信装置２ａ、２ｂ、…、２ｎに送信する装置である。電源制御信号には、具体的には、電気機器３ａ、３ｂ、…、３ｎに対して電源供給を行う電源ＯＮ制御信号と、電気機器３ａ、３ｂ、…、３ｎに対して電源供給を遮断する電源ＯＦＦ制御信号があり、所定の条件（詳しくは後述する）が成立することにより、送信装置１は、電源ＯＮ制御信号または電源ＯＦＦ制御信号を複数の受信装置２ａ、２ｂ、…、２ｎに送信するようになっている。
【００２０】
送信装置１は、図１に示すように、詳しくは、電源制御信号を送信する契機となる所定操作を受け付ける操作部１１、操作部１１に対する操作や自装置の揺れを検知する検知部１２、検知部１２の検知に基づいて、電源ＯＮ制御信号または電源ＯＦＦ制御信号を送信する送信部１３、及び音声を出力したり、照明を点灯させたりして、ユーザに喚起を促す情報出力部１４を具備する構成となっている。
【００２１】
図２は、送信装置１の外観斜視図である。送信装置１は、箱型形状を有し、例えば、玄関や出入り口の壁等に設置される。送信装置１は、前面にフック部１０１、電源ボタン１０２、地震検知部１０３、スピーカ１０４、及び非常灯１０５が配設されている。
【００２２】
なお、詳しくは後述するが、フック部１０１は、操作部１１及び検知部１２の機能、電源ボタン１０２は、操作部１１及び検知部１２の機能、スピーカ１０４は、情報出力部１４の機能、地震感知部１０４は、検知部１２の機能を具体的に示したものにほかならない。
【００２３】
フック部１０１は、前方及び上方に突出したＬ字状をなし、例えば、リング状の物体を掛止可能としている。本実施の形態においては、家やオフィスの鍵６を掛止するものとして、説明する。すなわち、鍵６は、外出時にはフック部１０１から取り外されてユーザに携帯される一方、在宅時（在社時）には、フック部１０１に掛止されるものとして説明する。
【００２４】
フック部１０１は、上述したように鍵６を掛止するという操作を受け付ける操作部１１としての機能を有するほか、鍵６が掛止しているか否かを検知する検知部１２としても機能している。ここで、検知の方法は、どのような方法でもよく、例えば、フック部１０１への加重を検知することにより、所定の物体がフック部１０１に掛止されているか否かを判定してもよい。なお、本実施の形態においては、鍵６がフック部１０１に掛止している状態をＯＮ状態、鍵６がフック部１０１に掛止していない状態をＯＦＦ状態と称する。
【００２５】
送信装置１は、フック部１０１に鍵６が掛止されていることを検知した場合（ＯＮ状態の場合）には、送信部１３を介して、電源ＯＮ制御信号を複数の受信装置２ａ、２ｂ、…、２ｎに送信し、フック部１０１に鍵６が掛止されていないことを検知した場合（ＯＦＦ状態の場合）には、送信部１３を介して、電源ＯＦＦ制御信号を複数の受信装置２ａ、２ｂ、…、２ｎに送信するようになっている。この結果、フック部１０１に鍵６が掛止された場合には、電気機器３ａ、３ｂ、…、３ｎに電源が供給される一方、フック部１０１から鍵６が取り外された場合には、電気機器３ａ、３ｂ、…、３ｎへの電源供給が遮断される。すなわち、外出時には、鍵６をフック部１０１から取り外すという外出には必須の簡単な操作で、電気機器３ａ、３ｂ、…、３ｎへの電源消し忘れを防止することができる。
【００２６】
電源ボタン１０２は、電気機器３ａ、３ｂ、…、３ｎの電源状態を電源ＯＮ状態にするか、電源ＯＦＦ状態にするかを示すスイッチボタンであり、点灯可能なトグルボタンで構成される。本実施の形態では、電源ＯＮ状態のときには、電源ボタン１０２は凹状態となり、かつ電源ボタン１０２が点灯する一方、電源ＯＦＦ状態のときには、電源ボタン１０２は凸状態となり、かつ電源ボタン１０２が消灯するようになっている。すなわち、電源ボタン１０２は、ボタン操作を受け付ける操作部１１としての機能のほか、ユーザによって操作された電源状態を検知可能な検知部１２としても機能している。
【００２７】
送信装置１は、電源ボタン１０２が電源ＯＮ状態であることを検知した場合には、送信部１３を介して、電源ＯＮ制御信号を複数の受信装置２ａ、２ｂ、…、２ｎに送信し、電源ボタン１０２が電源ＯＦＦ状態であることを検知した場合には、送信部１３を介して、電源ＯＦＦ制御信号を複数の受信装置２ａ、２ｂ、…、２ｎに送信するようになっている。この結果、電源ボタン１０２が電源ＯＮ状態である場合には、電気機器３ａ、３ｂ、…、３ｎに電源が供給される一方、電源ボタン１０２が電源ＯＦＦ状態である場合には、電気機器３ａ、３ｂ、…、３ｎへの電源供給が遮断される。すなわち、電源ボタン１０２を押圧するという簡単な操作で、電気機器３ａ、３ｂ、…、３ｎの電源供給および電源遮断を一括して制御することができる。
【００２８】
地震感知部１０３は、送信装置１の揺れを検知するようになっている。地震感知部１０３は、地震が発生した場合の安全対策として設けられたものであり、地震感知部１０３が閾値を超えた揺れを検知した場合には、送信装置１は、送信部１３を介して、電源ＯＦＦ制御信号を複数の受信装置２ａ、２ｂ、…、２ｎに送信するようになっている。この結果、地震時には電気機器３ａ、３ｂ、…、３ｎへの電源供給が遮断される。
【００２９】
スピーカ１０４は、情報出力部１４の機能を有し、送信装置１に対する操作を確認するためのメッセージを音声出力するようになっている。例えば、鍵６がフック部１０１から取り外されると、「電気機器の電源をＯＦＦにします」、鍵６がフック部１０１に引っ掛けられると、「電気機器の電源をＯＮにします」などの音声メッセージが出力され、ユーザに操作の内容を確認させることができる。また、例えば、地震感知部１０３が揺れを検知した場合には、「地震が発生しました。」などの音声メッセージが出力され、ユーザに注意を喚起するようになっている。
【００３０】
非常灯１０５は、情報出力部１４の機能を有し、地震感知部１０３が閾値を超えた揺れを検知した場合に点灯されるようになっている。これにより、視覚的にもユーザに注意を喚起するようになっている。
【００３１】
受信装置２（以下、受信装置２ａ、２ｂ、…、２ｎを総括して共通の機能を説明する場合には、受信装置２と表記する）は、送信装置１から受信した電源制御信号に基づいて、接続された電気機器３（以下、受信装置２に接続された電気機器を３と表記する）への電源供給を制御するようになっている。すなわち、電源ＯＮ制御信号を受信した場合には、接続された電気機器３に対して電源供給を行い、電源ＯＦＦ制御信号を受信した場合には、接続された電気機器３に対して電源供給を行わない。なお、本実施の形態の受信装置２は、接続された電気機器３に対して電源供給を行う場合には、以後、電源ＯＦＦ制御信号を受信するまでは、継続的に電気機器３に対して電源供給を行うようになっている。同様にして、接続された電気機器３に対して電源供給を遮断する場合には、以後、電源ＯＮ制御信号を受信するまでは、継続的に電気機器３に対して電源供給を遮断するようになっている。勿論、これとは異なる方法により、電源制御を行ってもよい。例えば、送信装置１は定期的に操作部１１に対する操作を検知し、検知部１２の検知に基づいて定期的に電源制御信号を送信するようにし、受信装置２は定期的に受信する電源制御信号に基づいて、接続された電気機器３に対する電源制御を行うようにしてもよい。
【００３２】
受信装置２は、図１に示すように、詳しくは、送信装置１から電源制御信号を受信する受信部２１、及び接続された電気機器３への電源供給を制御する電源制御部２２を具備する構成である。
【００３３】
図３は、受信装置２の外観斜視図である。図３（ａ）は、正面斜視図、図３（ｂ）は、背面斜視図である。受信装置２は、その表面に、受信部２１、電気機器３の電源コード５の一端の電源プラグ７が差し込まれるコンセント部２０１、及び商用電力線４のコンセント８に挿入可能な電源プラグ部２０２を配設している。すなわち、受信装置２は、商用電力線４、コンセント部２０１及び電源プラグ部２０２を介して、接続された電気機器３に電源を供給している。
【００３４】
次に、図４〜図８を用いて、電源消し忘れ防止システム１００の動作について説明する。ここで、図４は、送信装置１の動作を示すフローチャートである。図５は、図４のステップＳ２０の送信処理１の流れを示すフローチャート、図６は、図４のステップＳ４０の送信処理２の流れを示すフローチャート、図７は、図４のステップＳ６０の送信処理３の流れを示すフローチャートである。また、図８は、受信装置２の動作を示すフローチャートである。
【００３５】
まず、図４を用いて、送信装置１の動作について説明する。
【００３６】
送信装置１は、フック部１０１の検知に変化があるか否かを判定する（ステップＳ１０）。ここで、フック部１０１の検知に変化があるとは、具体的には、フック部１０１がＯＮ状態からＯＦＦ状態に変化した、あるいはフック部１０１がＯＦＦ状態からＯＮ状態に変化したことをいう。
【００３７】
フック部１０１の検知に変化がある場合には（ステップＳ１０：ＹＥＳ）、送信装置１は、送信処理１を行い（ステップＳ２０）、ステップＳ１０に戻る。
【００３８】
詳しくは、送信処理１においては、図５に示すように、フック部１０１が、現在、ＯＮ状態であるか否かを判定し（ステップＳ２１）、ＯＮ状態である場合（ＯＦＦ状態からＯＮ状態に変化した場合）には（ステップＳ２１：ＹＥＳ）、送信装置１は、送信部１３を介して、複数の受信装置２ａ、…、２ｎに電源ＯＮ制御信号を送信し（ステップＳ２２）、ＯＦＦ状態である場合（ＯＮ状態からＯＦＦ状態に変化した場合）には（ステップＳ２１：ＮＯ）、複数の受信装置２ａ、…、２ｎに電源ＯＦＦ制御信号を送信する（ステップＳ２３）。
【００３９】
一方、フック部１０１の検知に変化がない場合には（ステップＳ１０：ＮＯ）、電源ボタン１０２の検知に変化があるか否かを判定する（ステップＳ３０）。ここで、電源ボタン１０２の検知に変化があるとは、具体的には、電源ボタン１０２が電源ＯＮ状態から電源ＯＦＦ状態に変化した、あるいは電源ボタン１０２が電源ＯＦＦ状態から電源ＯＮ状態に変化したことをいう。
【００４０】
電源ボタン１０２の検知に変化がある場合には（ステップＳ３０：ＹＥＳ）、送信装置１は、送信処理２を行い（ステップＳ４０）、ステップＳ１０に戻る。
【００４１】
詳しくは、送信処理１においては、図６に示すように、電源ボタン１０２が、現在、電源ＯＮ状態であるか否かを判定し（ステップＳ４１）、電源ＯＮ状態である場合（電源ＯＦＦ状態から電源ＯＮ状態に変化した場合）には（ステップＳ４１：ＹＥＳ）、送信装置１は、送信部１３を介して、複数の受信装置２ａ、…、２ｎに電源ＯＮ制御信号を送信し（ステップＳ４２）、電源ＯＦＦ状態である場合（電源ＯＮ状態から電源ＯＦＦ状態に変化した場合）には（ステップＳ４１：ＮＯ）、複数の受信装置２ａ、…、２ｎに電源ＯＦＦ制御信号を送信する（ステップＳ４３）。
【００４２】
一方、電源ボタン１０２の検知に変化がない場合には（ステップＳ３０：ＮＯ）、地震感知部１０３の検知があるか否かを判定する（ステップＳ５０）。ここで、地震感知部１０３の検知があるとは、閾値以上の揺れが検知された場合をいう。
【００４３】
地震感知部１０３の検知がある場合には（ステップＳ５０：ＹＥＳ）、送信装置１は、送信処理３を行い（ステップＳ６０）、ステップＳ１０に戻る。
【００４４】
詳しくは、送信処理３においては、図７に示すように、送信装置１は、送信部１３を介して、複数の受信装置２ａ、…、２ｎに電源ＯＦＦ制御信号を送信する（ステップＳ６１）。
【００４５】
なお、地震感知部１０３の検知がない場合には（ステップＳ５０：ＮＯ）、ステップＳ１０に戻る。
【００４６】
次に、図８を用いて、受信装置２の動作について説明する。
【００４７】
受信装置２は、電源制御信号を受信したか否かを判定する（ステップＳ７１）。電源制御信号を受信した場合には（ステップＳ７１：ＹＥＳ）、受信した電源制御信号が、電源ＯＮ制御信号であるか否かを判定する（ステップＳ７２）。
【００４８】
受信した電源制御信号が電源ＯＮ制御信号である場合には（ステップＳ７２：ＹＥＳ）、受信装置２は、受信装置２に接続された電気機器３に電源を供給し（ステップＳ７３）、ステップＳ７１に戻る。
【００４９】
一方、受信した電源制御信号が電源ＯＮ制御信号でない、つまり電源ＯＦＦ制御信号である場合には（ステップＳ７２：ＮＯ）、受信装置２は、受信装置２に接続された電気機器３への電源供給を遮断し（ステップＳ７４）、ステップＳ７１に戻る。
【００５０】
以上説明したように、本実施の形態に係る電源消し忘れ防止システム１００によれば、鍵６をフック部１０１から取り外すことにより、予め定めた複数の電気機器３への電源供給を遮断することができるので、外出時の簡単な操作で電源の消し忘れを防止することができる。ユーザは、外出時には鍵６を用いて家又はオフィスを施錠した後、鍵６を携帯するので、フック部１０１に鍵６が掛止されていないことを、予め定めた複数の電気機器３に対する電源遮断の契機としたものである。
【００５１】
なお、本実施の形態のこの仕組みは、物忘れが多くなる高齢者などに特に好適である。外出時に個々の電源の消し忘れを考慮する必要がないからである。
【００５２】
また、本実施の形態に係る電源消し忘れ防止システム１００によれば、鍵６をフック部１０１に掛止することにより、予め定めた複数の電気機器３に電源を供給することができるので、帰宅時（帰社時）の簡単な操作で予め定めた複数の電気機器３を利用することが可能となる。
【００５３】
また、予め定めた複数の電気機器３には、電源の消し忘れが多い電気機器３（例えば、テレビ、エアコン、照明器具など）を選択し、選択した電気機器３を受信装置２に接続すればよいので、選択行為も容易であるとともに、電気機器３の選択変更も容易である。例えば、新たに購入した電気機器を予め定めた複数の電気機器３に加える場合には、新たに購入した電気機器を受信装置２に接続するだけでよい。すなわち、電源消し忘れ防止の対象機器を柔軟かつ容易に設定することができる。
【００５４】
また、本実施の形態に係る電源消し忘れ防止システム１００によれば、電源ボタン１０２を押下して、電源ボタン１０２を電源ＯＮ状態または電源ＯＦＦ状態にすることにより、予め定めた複数の電気機器３に電源を供給したり、予め定めた複数の電気機器３への電源供給を遮断したりすることができるので、鍵６のフック部１０１への掛止状態に関わらず、予め定めた複数の電気機器３に対する電源制御を一律に行うことができる。例えば、夜寝るときに電源ボタン１０２を電源ＯＦＦ状態にすることにより、予め定めた複数の電気機器３の電源消し忘れを防止することができる。
【００５５】
さらには、本実施の形態に係る電源消し忘れ防止システム１００によれば、地震感知部１０３による揺れ検知に基づいて、予め定めた複数の電気機器３への電源供給を遮断したりすることができるので、地震防災対策も施されている。
【００５６】
なお、本実施の形態の送信装置１は、所定の条件が成立することにより、複数の受信装置２ａ、２ｂ、…、２ｎに対して一律に電源制御信号を送信するようにしたが、複数の受信装置２ａ、２ｂ、…、２ｎを複数のグループに分け、グループごとに電源制御信号を送信するようにしてもよい。図９は、受信装置２ａ、２ｂ、…、２ｎを２つのグループに分けて構成した場合の送信装置１Ａの外観斜視図である。
【００５７】
図９に示す送信装置１Ａにおいては、複数の受信装置２ａ、２ｂ、…、２ｎは、ＡグループとＢグループに分類されている。例えば、Ａグループの選択を示すグループ選択ボタン１０６ａ及び／またはＢグループの選択を示すグループ選択ボタン１０６ｂを押下して、Ａグループを選択状態、かつＢグループを非選択状態とした場合には、送信装置１は、所定の条件成立時に、Ａグループに含まれる受信装置２ａ、２ｂ、…、２ｎに対してだけ、電源制御信号を送信する。また、Ａグループ及びＢグループをともに選択状態にした場合には、送信装置１Ａは、所定の条件成立時に、Ａグループ及びＢグループに含まれる受信装置２ａ、２ｂ、…、２ｎ（つまり、すべての受信装置２ａ、２ｂ、…、２ｎ）に対して、電源制御信号を送信する。
【００５８】
なお、グループ選択ボタン１０６（グループ選択ボタン１０６ａ及びグループ選択ボタン１０６ｂ）は、電源ボタン１０２と同様に、点灯可能なトグルボタンで構成され、選択状態（ボタンは凹状態かつ点灯状態）と非選択状態（ボタンは凸状態かつ消灯状態）が交互に設定可能である。
【００５９】
このように、複数の電気機器３に対する電源消し忘れ防止をグループ単位に行うようにしてもよい。
【００６０】
以上、本考案の実施の形態について説明してきたが、本考案は、上述した実施の形態に限られるものではなく、本考案の要旨を逸脱しない範囲において、本考案の実施の形態に対して種々の変形や変更を施すことができ、そのような変形や変更を伴うものもまた、本考案の技術的範囲に含まれるものである。
【符号の説明】
【００６１】
１  送信装置
２，２ａ，２ｂ，…，２ｎ  受信装置
３，３ａ，３ｂ，…，３ｎ  電気機器
４  商用電力線
５  電源コード
６  鍵
１１  操作部
１２  検知部
１３  送信部
１４  情報出力部
２１  受信部
２２  電源制御部
１０１  フック部
１０２  電源ボタン
１０３  地震感知部
１０４  スピーカ
１０５  非常灯
１０６，１０６ａ，１０６ｂ  グループ選択ボタン
２０１  コンセント部
２０２  電源プラグ部
【図１】
0003154850.tif 000003
【図２】
0003154850.tif 000004
【図３】
0003154850.tif 000005
【図４】
0003154850.tif 000006
【図５】
0003154850.tif 000007
【図６】
0003154850.tif 000008
【図７】
0003154850.tif 000009
【図８】
0003154850.tif 000010
【図９】
0003154850.tif 000011